(57)【要約】【課題】  冷却液タンクを用いた循環式の液冷システムを液晶プロジェクター等の投射型表示装置に搭載し、その投射型表示装置を姿勢を傾けて設置した場合にも、冷却液タンクからの空気の流出を抑制できるようにする。【解決手段】  冷却対象物を冷却した冷却液ＣＬを冷却液タンク１内に排出するための排水口３と、冷却液タンク１からこの冷却対象物に冷却液ＣＬを供給するための給水口２とのうち、少なくとも給水口２を、冷却液タンク１内に向けて突き出させる。【選択図】  図３
2006227306.tif 000002
【特許請求の範囲】
【請求項１】
循環式の液冷システムに用いる冷却液タンクにおいて、
冷却対象物を冷却した冷却液を前記冷却液タンク内に排出するための排水口と、前記冷却液タンクから前記冷却対象物に冷却液を供給するための給水口とのうち、少なくとも前記給水口が、前記冷却液タンク内に向けて突き出している
ことを特徴とする冷却液タンク。
【請求項２】
請求項１に記載の冷却液タンクにおいて、
少なくとも前記給水口が、前記冷却液タンク内の略中心部に向けて突き出している
ことを特徴とする冷却液タンク。
【請求項３】
請求項１に記載の冷却液タンクにおいて、
前記給水口及び前記排水口の両方が、前記冷却液タンク内に向けて突き出している
ことを特徴とする冷却液タンク。
【請求項４】
請求項３に記載の冷却液タンクにおいて、
前記給水口と前記排水口とが、前記冷却液タンク内で互いに対向する向きに突き出している
ことを特徴とする冷却液タンク。
【請求項５】
請求項１に記載の冷却液タンクにおいて、
前記排水口から前記冷却液タンク内に排出された冷却液が衝突する位置に板状部材が設けられており、
前記板状部材の周囲に、前記板状部材に衝突した冷却液を前記給水口側に流すための開口部分が存在する
ことを特徴とする冷却液タンク。
【請求項６】
請求項１に記載の冷却液タンクにおいて、
前記冷却液タンク内において、前記排水口と前記給水口とが網目状の部材で仕切られている
ことを特徴とする冷却液タンク。
【請求項７】
循環式の液冷システムを搭載した投射型表示装置において、
前記液冷システムに冷却液タンクが用いられており、
前記冷却液タンクは、冷却対象物を冷却した冷却液を前記冷却液タンク内に排出するための排水口と、前記冷却液タンクから前記冷却対象物に冷却液を供給するための給水口とのうち、少なくとも前記給水口が、前記冷却液タンク内に向けて突き出している
ことを特徴とする投射型表示装置。
【請求項８】
請求項７に記載の投射型表示装置において、
前記冷却液タンクは、
前記排水口から前記冷却液タンク内に排出された冷却液が衝突する位置に板状部材が設けられており、
前記板状部材の周囲に、前記板状部材に衝突した冷却液を前記給水口側に流すための開口部分が存在する
ことを特徴とする投射型表示装置。
【請求項９】
請求項７に記載の投射型表示装置において、
前記冷却液タンク内において、前記排水口と前記給水口とが網目状の部材で仕切られている
ことを特徴とする投射型表示装置。
【発明の詳細な説明】
【技術分野】
【０００１】
本発明は、循環式の液冷システムに用いる冷却液タンク、及び、循環式の液冷システムを搭載した投射型表示装置に関する。
【背景技術】
【０００２】
大画面の投射型表示装置として、液晶プロジェクターが普及している。液晶プロジェクターは、周知のように、光源からの出射光を照明光学系を介して液晶パネルに入射させ、液晶パネルで映像信号に応じて変調した光を、投射レンズによってスクリーンに投射するものである。
【０００３】
液晶プロジェクターの高輝度化を実現するためには、光源からの出射光量を増加させたり照明光学系での光の利用効率を高めるなどして、液晶パネルへの入射光量を増加させなければならない。しかし、液晶パネルへの入射光量が増加すると、液晶パネルの温度が上昇して、液晶プロジェクターの動作の信頼性に影響を及ぼすことがある。この液晶パネルの温度上昇を抑制するためには、液晶パネルを強制的に冷却することが必要となる。
【０００４】
液晶プロジェクターにおける液晶パネルの冷却方式としては、従来から、ファン（送風機）によって液晶パネルを空気で冷却するという方式が採用されている。しかし、この空冷方式は、液晶プロジェクターの小型化や低騒音化を実現するという見地からは、あまり適切な方式ではなかった。
【０００５】
そこで、循環式の液冷システムを液晶プロジェクターに搭載することも提案されている。これは、液晶パネルにジャケット（冷却液の出入り口を有する密閉容器）を取り付け、冷却液をポンプによってこのジャケットとラジエータとの間で循環させることによって液晶パネルを冷却するというものである（例えば、特許文献１参照。）。
【特許文献１】特開平５−２６４９４７号公報（段落番号００１０〜００１６、図１）
【発明の開示】
【発明が解決しようとする課題】
【０００６】
ところで、このような循環式の液冷システムには、次の（１）及び（２）の理由から、冷却液を貯蔵したタンク（本明細書では「冷却液タンク」と呼ぶことにするが、「リザーブタンク」とも呼ばれている）を用いることが望まれる。
【０００７】
（１）経年使用の際に、冷却液の分子構造等を原因として、微量ではあるが配管等から冷却液が蒸発してしまう。そこで、冷却液タンクに貯蔵している冷却液によってその蒸発分を補う。
【０００８】
（２）ポンプで冷却液を送り出す際には、冷却液中に気泡が発生してしまう。冷却液中の気泡の量が増えると、冷却液が流れにくくなるので、冷却効率が低下する。また、液晶プロジェクターにおいて液晶パネルの光の入射面や出射面を冷却する場合には、気泡が点状の模様として投影されて画質が低下することがある。そこで、発生した気泡を冷却液タンク内に集めることにより、冷却液中の気泡を除去する（「気泡抜き」と呼ばれている）。
【０００９】
図９は、循環式の液冷システムで用いられている従来の冷却液タンクの一般的な構造を示す図（図９Ａは斜視図、図９Ｂは断面図）である。冷却液タンク５１は、中空構造の直方体形状をしており、給水口５２及び排水口５３を有している。冷却液タンク５１内の中空部分には、冷却液ＣＬが貯蔵されている。
【００１０】
給水口５２は、冷却液タンク５１の壁面から外側に向けて突き出しており、したがって、一方の開口端５２ａが壁面と同一平面上にあり、もう一方の開口端５２ｂが壁面よりも外側にある。開口端５２ｂは、配管（図示略）によって液冷システムの他の構成要素（例えばポンプ）と連結される。
【００１１】
排水口５３も、冷却液タンク５１の壁面から外側に向けて突き出しており、したがって、一方の開口端５３ａが壁面と同一平面上にあり、もう一方の開口端５３ｂが壁面よりも外側にある。開口端５３ｂは、配管（図示略）によって液冷システムの他の構成要素（例えばラジエータ）と連結される。
【００１２】
冷却対象物（図示略）を冷却した冷却液ＣＬは、排水口５３から冷却液タンク５１内に排出される。冷却液タンク５１内に排出された冷却液ＣＬ中の気泡は、浮力によって上昇して冷却液タンク５１内の上部に集まる。これにより、冷却液タンク５１内の上部に空気層ＡＲができる。このようにして気泡抜きを行われた冷却液ＣＬは、給水口５２から冷却液タンク５１の外に出て、再び冷却対象物に供給される。
【００１３】
ここで、液冷システムを搭載する機器の設置時の姿勢が概ね一定である場合（例えば直視型表示装置であれば、表示画面を水平面とほぼ直交させて設置される）には、その姿勢に合せて冷却液タンク５１の上下の向きを決定しておけば、冷却液タンク５１内の空気が冷却液タンク５１の外に流出することはない。
【００１４】
しかし、液晶プロジェクターのような投射型表示装置は、スクリーンの位置等の設置環境に応じて、大きく傾けて設置したり、さらには上下を逆さまにして天井から吊り下げることがある。そのため、図９に示した構造の冷却液タンク５１では、図１０に例示するように、冷却液タンク５１が傾いて給水口５２や排水口５３が冷却液タンク５１の上面に位置し、開口端５２ａや開口端５３ａが空気層ＡＲに面するようになるので、冷却液タンク５１内の空気が給水口５２や排水口５３から外に流出し（特に、冷却液ＣＬの流れに沿って給水口５２から流出し）、冷却効率が低下したり画質が低下してしまう。
【００１５】
本発明は、上述の点に鑑み、冷却液タンクを用いた循環式の液冷システムを液晶プロジェクター等の投射型表示装置に搭載し、その投射型表示装置を姿勢を傾けて設置した場合にも、冷却液タンクからの空気の流出を抑制できるようにすることを課題としてなされたものである。
【課題を解決するための手段】
【００１６】
この課題を解決するために、本発明に係る冷却液タンクは、循環式の液冷システムに用いる冷却液タンクにおいて、冷却対象物を冷却した冷却液を冷却液タンク内に排出するための排水口と、冷却液タンクからこの冷却対象物に冷却液を供給するための給水口とのうち、少なくとも給水口が、冷却液タンク内に向けて突き出していることを特徴とする。
【００１７】
この冷却液タンクでは、冷却液タンクから冷却対象物に冷却液を供給するための給水口が、冷却液タンク内に向けて突き出している。したがって、冷却液タンクの姿勢が傾いて給水口が冷却液タンクの上面側に位置しても、その姿勢での冷却液タンク内の空気層の厚さが冷却液タンクの上端からこの突出部分の先端（給水口の開口端）までの距離を上回らない限り、給水口の開口端が冷却液に浸かった状態が維持されるので、冷却液タンク内の空気が給水口から流出することが抑制される。
【００１８】
これにより、この冷却液タンクを用いた循環式の液冷システムを例えば投射型表示装置に搭載すれば、その投射型表示装置を姿勢を傾けて設置した場合にも、冷却液タンクからの空気の流出を抑制することができる。
【００１９】
なお、この冷却液タンクにおいて、一例として、少なくとも給水口を、冷却液タンク内の略中心部に向けて突き出させることが好適である。それにより、冷却液タンクがどのような姿勢に傾いても、その姿勢での冷却液タンクの上端からこの突出部分の先端（給水口の開口端）までの距離を最大限に確保することができるので、冷却液タンクからの空気の流出を最小限に抑制することができる。
【００２０】
また、この冷却液タンクにおいて、一例として、給水口及び排水口の両方を冷却液タンク内に向けて突き出させることが好適である。それにより、冷却液タンクの姿勢が傾いて排水口が冷却液タンクの上面側に位置しても、その姿勢での冷却液タンク内の空気層の厚さが冷却液タンクの上端からこの突出部分の先端（排水口の開口端）までの距離を上回らない限り、排水口の開口端が冷却液に浸かった状態が維持される。したがって、冷却液タンク内の空気が排水口から流出することも抑制できる。
【００２１】
また、このように給水口及び排水口の両方を冷却液タンク内に向けて突き出させる場合には、一例として、給水口と排水口とを、冷却液タンク内で互いに対向する向きに突き出させることが好適である。それにより、給水口及び排水口の両方を、冷却液タンク内の略中心部に向けて十分な長さだけ突き出させることができる。さらに、排水口から冷却液タンク内に排出された冷却液が、ほぼ直線状に冷却液タンク内を移動して給水口のほうに流れるようになるので、冷却液タンク内での冷却液の流路抵抗の増加を抑制することもできる。
【００２２】
また、この冷却液タンクにおいて、一例として、排水口から冷却液タンク内に排出された冷却液が衝突する位置に板状部材を設け、この板状部材の周囲に、この板状部材に衝突した冷却液を給水口側に流すための開口部分を設けることが好適である。
【００２３】
それにより、排水口から冷却液タンク内に排出された冷却液が、この板状部材に衝突することによって流速を低下させた後、この開口部分を通って給水口側に流れるようになる。このように冷却液の流速が低下することにより、冷却液タンク内での冷却液中の気泡の上昇が促進されるので、より多くの気泡を除去することができる。
【００２４】
また、この冷却液タンクにおいて、一例として、冷却液タンク内で排水口と給水口とを網目状の部材によって仕切ることが好適である。
【００２５】
それにより、排水口から冷却液タンク内に排出された冷却液がこの網目状部材に当り、冷却液中の気泡がこの網目状部材でせき止められるとともに、冷却液がこの網目状部材の網目部分を通って給水口側に流れるようになる。このように網目状部材で気泡をせき止めることにより、小さな気泡も除去することができる。
【００２６】
次に、本発明に係る投射型表示装置は、循環式の液冷システムを搭載した投射型表示装置において、液冷システムに冷却液タンクが用いられており、この冷却液タンクは、冷却対象物を冷却した冷却液を冷却液タンク内に排出するための排水口と、冷却液タンクからこの冷却対象物に冷却液を供給するための給水口とのうち、少なくとも給水口が、冷却液タンク内に向けて突き出していることを特徴とする。
【００２７】
この投射型表示装置は、前述の本発明に係る冷却液タンクを用いた循環式の液冷システムを搭載したものであり、姿勢を傾けて設置した場合にも、冷却液タンクからの空気の流出を抑制することができる。
【００２８】
なお、この投射型表示装置においても、一例として、冷却液タンクには、排水口から冷却液タンク内に排出された冷却液が衝突する位置に板状部材を設け、この板状部材の周囲に、この板状部材に衝突した冷却液を給水口側に流すための開口部分を設けることが好適である。それにより、冷却液中に発生した気泡を、冷却液タンク内でより多く除去することができる。
【００２９】
また、この投射型表示装置においても、一例として、冷却液タンク内で排水口と給水口とを網目状の部材によって仕切ることが好適である。それにより、冷却液中に発生した小さな気泡も、冷却液タンク内で除去することができる。
【発明の効果】
【００３０】
本発明に係る冷却液タンクによれば、冷却液タンクから冷却対象物に冷却液を供給するための給水口が冷却液タンク内に向けて突き出しているので、給水口が冷却液タンクの上面側に位置する姿勢でも、冷却液タンク内の空気が給水口から流出することを抑制できるという効果が得られる。
【００３１】
また、本発明に係る投射型表示装置によれば、姿勢を傾けて設置した場合にも、循環式の液冷システムに用いている冷却液タンクからの空気の流出を抑制することができるという効果が得られる。
【発明を実施するための最良の形態】
【００３２】
以下、透過型の液晶パネルを用いた３板式の液晶プロジェクターに本発明を適用した例について、図面を用いて具体的に説明する。
【００３３】
図１は、本発明を適用した液晶プロジェクターの光学系の一例を示す図である。光源２１からの出射光（白色光）が、オプティカルインテグレータ（１対のフライアイレンズ）２２及びコンデンサーレンズ２３を経て、ダイクロイックミラー２４に入射する。ダイクロイックミラー２４は、青色の波長範囲の光を反射してその他の波長範囲の光を透過させる。ダイクロイックミラー２４で反射された青色の波長範囲の光は、反射ミラー２６及びコンデンサーレンズ２７を経て、青色用の透過型の液晶パネル３４（Ｂ）に入射する。
【００３４】
ダイクロイックミラー２４を透過した光は、ダイクロイックミラー２５に入射する。ダイクロイックミラー２５は、緑色の波長範囲の光束を反射してその他の波長範囲の光束を透過させる。ダイクロイックミラー２５で反射された緑色の波長範囲の光束は、コンデンサーレンズ２８を経て、緑色用の透過型の液晶パネル３４（Ｇ）に入射する。
【００３５】
ダイクロイックミラー２５を透過したその他の波長範囲（青色及び緑色を除外した残りである赤色の波長範囲）の光束は、リレーレンズ２９，反射ミラー３０，リレーレンズ３１，反射ミラー３２及びコンデンサーレンズ３３を経て、赤色用の透過型の液晶パネル３４（Ｒ）に入射する。
【００３６】
液晶パネル３４（Ｒ），３４（Ｇ），３４（Ｂ）では、赤色，緑色，青色の波長範囲の光束が、それぞれＲ，Ｇ，Ｂの映像信号に応じて変調される。そして、液晶パネル３４（Ｒ），３４（Ｇ），３４（Ｂ）で変調された赤色，緑色，青色の波長範囲の光束が、クロスプリズム３５によって合成された後、投射レンズ３６によってスクリーン（図示略）に投射される。
【００３７】
図２は、この液晶プロジェクターに搭載されている循環式の液冷システムの構成を示す図であり、図１と共通する部分には同一符号を付している。液晶パネル３４（Ｂ），３４（Ｇ），３４（Ｒ）に、それぞれジャケット（冷却液の流入口及び流出口を有する密閉容器）１１，１２，１３が取り付けられている。これらのジャケットは、液晶パネルの光源側の面（図１のコンデンサーレンズ２７，２８，３３側の面）とその反対側の面（図１，図２のクロスプリズム３５側の面）とのうちの少なくとも一方を冷却液で冷却できるような構造のものであればよい。
【００３８】
ジャケット１１の流入口は、配管４１でにポンプ１４に連結されている。ジャケット１１の流出口は、配管４２でジャケット１２の流入口に連結されている。ジャケット１２の流出口は、配管４３でジャケット１３の流入口に連結されており、ジャケット１３の流出口は、配管４４でラジエータ１５に連結されている。ラジエータ１５は、配管４５で冷却液タンク１の排水口に連結されており、冷却液タンク１の給水口は、配管４６でポンプ１４に連結されている。
【００３９】
そして、ポンプ１４によって冷却液（例えば水またはグリコール系の不凍液）をジャケット１１〜１３とラジエータ１５との間で循環させることにより、液晶パネル３４（Ｂ），３４（Ｇ）及び３４（Ｒ）を冷却するようになっている。
【００４０】
それと同時に、冷却液タンク１により、経年使用の際の配管４１〜４６等から冷却液の蒸発分を補うとともに、気泡抜きを行うようになっている。
【００４１】
図３は、冷却液タンク１の構造の一例を示す図（図３Ａは斜視図、図３Ｂは断面図）である。冷却液タンク１は、中空構造の直方体形状をしており、互いに対向する壁面のそれぞれほぼ中央部分に、給水口２及び排水口３を有している。冷却液タンク１内の中空部分には、冷却液ＣＬが貯蔵されている。
【００４２】
給水口２は、冷却液タンク１の壁面から、外側に向けて突き出すとともに、冷却液タンク１内の中心部に向けて、この壁面よりも冷却液タンク１内の中心部のほうに近い位置にまで突き出している。したがって、給水口２は、一方の開口端２ａがこの壁面よりも冷却液タンク１の内側にあり、もう一方の開口端２ｂがこの壁面よりも外側にある。開口端２ｂは、配管４６（図２）によってポンプ１４（図２）と連結されている。
【００４３】
排水口３も、冷却液タンク１の壁面から、外側に向けて突き出すとともに、冷却液タンク１内の中心部に向けて、この壁面よりも冷却液タンク１内の中心部のほうに近い位置にまで突き出している。したがって、排水口３も、一方の開口端３ａがこの壁面よりも冷却液タンク１の内側にあり、もう一方の開口端３ｂがこの壁面よりも外側にある。開口端３ｂは、配管４５（図２）によってラジエータ１５（図２）と連結されている。
【００４４】
ジャケット１１，１２，１３（図２）内を通過して液晶パネル３４（Ｂ），３４（Ｇ），３４（Ｒ）（図１，図２）を冷却した冷却液ＣＬは、ラジエータ１５（図２）で冷やされた後、排水口３から冷却液タンク１内に排出される。冷却液タンク１内に排出された冷却液ＣＬ中の気泡は、浮力によって上昇して冷却液タンク１内の上部に集まる。これにより、冷却液タンク１内の上部に空気層ＡＲができる。このようにして気泡抜きを行われた冷却液ＣＬは、給水口２から冷却液タンク１の外に出て、ポンプ１４（図２）によって再びジャケット１１，１２，１３に供給される。
【００４５】
なお、冷却液タンク１は、液晶プロジェクターを水平面上に設置した際に図３の矢印の向きが上下の向き（鉛直方向）になるようにして、液晶プロジェクター内に固定して取り付けられている。
【００４６】
したがって、液晶プロジェクターを水平面から大きく傾けて設置した場合には、冷却液タンク１の姿勢も鉛直方向に対して大きく傾くようになる。図４は、このようにして冷却液タンク１の姿勢が傾いた状態の一例として、給水口２が冷却液タンク１の上面側に位置した姿勢を示す。
【００４７】
この図４の姿勢でも、給水口２が冷却液タンク１内に向けて突き出しているので、この姿勢での冷却液タンク１内の空気層ＡＲの厚さｔが冷却液タンク１の上端（ここでは直方体のコーナー１ａ）からこの突出部分の先端（開口端２ａ）までの垂直方向の距離ｄを上回らない限り、開口端２ａが冷却液ＣＬに浸かった状態が維持される。したがって、冷却液タンク１内の空気が給水口２から流出することが抑制される。
【００４８】
これにより、液晶プロジェクターを姿勢を傾けて設置した場合にも、冷却液タンク１からの空気の流出が抑制されるので、液晶パネル３４（Ｒ），３４（Ｇ），３４（Ｂ）（図１，図２）を効率的に冷却することができるとともに、画質の低下（気泡が点状の模様として投影されること）を抑制することができる。
【００４９】
図４にはコーナー１ａが冷却液タンク１の上端になった姿勢を示したが、給水口２は冷却液タンク１内の略中心部に向けて突き出しているので、冷却液タンク１がどのような姿勢に傾いても、その姿勢での冷却液タンク１の上端から給水口２の開口端２ａまでの距離を最大限に確保することができる。したがって、液晶プロジェクターをどのように姿勢を傾けて設置した場合にも、冷却液タンク１内の空気が給水口２から流出することを最小限に抑制できる。
【００５０】
また、図４には給水口２からの空気の流出が抑制される例を示したが、排水口３も冷却液タンク１内の略中心部に向けて突き出しているので、冷却液タンク１がどのような姿勢に傾いても、その姿勢での冷却液タンク１の上端から給水口３の開口端３ａまでの距離も最大限に確保することができる。したがって、液晶プロジェクターをどのように姿勢を傾けて設置した場合にも、冷却液タンク１内の空気が排水口３から流出することも最小限に抑制できる。
【００５１】
そして、給水口２と排水口３とが、冷却液タンク１の互いに対向する壁面のそれぞれほぼ中央部分に設けられている（したがって、冷却液タンク１内で互いに対向する向きに突き出している）ので、給水口２及び排水口３の両方を、冷却液タンク１内の略中心部に向けて十分な長さだけ突き出させることができる。
【００５２】
さらに、このように給水口２と排水口３とが冷却液タンク１内で互いに対向する向きに突き出していることにより、排水口３から冷却液１タンク内に排出された冷却液ＣＬが、ほぼ直線状に冷却液タンク１内を移動して給水口２のほうに流れるようになる。したがって、冷却液タンク１内での冷却液ＣＬの流路抵抗の増加を抑制することもできる。
【００５３】
次に、図５は、図２の冷却液タンク１の構造の別の例を示す図（図５Ａは斜視図、図５Ｂは断面図）であり、図３と共通する部分には同一符号を付している。この例では、冷却液タンク１は、図３に示したのと同一構造の給水口２及び排水口３を有するのに加え、十字形状（冷却液タンク１の内部の断面と同じ形状及び面積の長方形から、四隅を切り欠いた形状）の仕切り板４が、給水口２と排水口３とを仕切るようにして、冷却液タンク１の内壁面に固定して取り付けられている。
【００５４】
仕切り板４は、例えばアルミニウムやステンレスのような、冷却液ＣＬに悪影響を及ぼさない、化学的に安定した材料で構成されている（冷却液タンク１自体をこれらの金属で構成する場合には、仕切り板４も同じ金属で構成してよい）。
【００５５】
仕切り板４の周囲の４つの開口部分（前述の長方形からの切り欠き部分）の総面積は、給水口２や排水口３の内部の断面積以上になっている。
【００５６】
図６は、図５の構造の冷却液タンク１内での気泡抜きの原理を示す図である。排水口３から冷却液タンク１内に排出された冷却液は、仕切り板４に衝突することによって流速を低下させた後、仕切り板４の周囲の４つの開口部分を通って給水口２側に流れる。
【００５７】
このように冷却液の流速が低下することにより、冷却液タンク１内での冷却液中の気泡ＢＵの上昇が促進されるので、より多くの気泡を除去することができる。
【００５８】
そして、仕切り板４の周囲の開口部分の総面積が給水口２や排水口３の内部の断面積以上になっているので、仕切り板４の周囲で冷却液の圧力損失が増加することも防止される。
【００５９】
次に、図７は、図２の冷却液タンク１の構造のさらに別の例を示す図（図７Ａは斜視図、図７Ｂは断面図）であり、図３と共通する部分には同一符号を付している。この例では、冷却液タンク１は、図３に示したのと同一構造の給水口２及び排水口３を有するのに加え、メッシュ（細かい網目を２次元状に配列した、冷却液タンク１の内部の断面と同じ形状及び面積の長方形の部材）５が、給水口２と排水口３とを完全に仕切るようにして、冷却液タンク１の内壁面に固定して取り付けられている。なお、図７Ａでは、図示の都合上、メッシュをかくれ線（破線）ではなく実線で描いている。メッシュ５の個々の網目の大きさは、数十μｍ程度である。
【００６０】
メッシュ５は、例えばアルミニウムやステンレスのような、冷却液ＣＬに悪影響を及ぼさない、化学的に安定した材料で構成されている。
【００６１】
図８は、図７の構造の冷却液タンク１内での気泡抜きの原理を示す図である。排水口３から冷却液タンク１内に排出された冷却液はメッシュ５に当り、冷却液中の気泡（網目の大きさである直径数十μｍ以上の気泡）ＢＵがメッシュ５でせき止められるとともに、冷却液がメッシュ５の網目部分を通って給水口２側に流れる。
【００６２】
図５の構造の冷却液タンク１では、直径数十μｍの小さな気泡は、仕切り板４の周囲の開口部分を通るので除去することが困難である。これに対し、図７の構造の冷却液タンク１では、こうした小さな気泡もメッシュ板５でせき止めて除去することができる。
【００６３】
以上のように、本実施の形態によれば、次のような様々な効果が得られる。
（１）液晶パネルを冷却した冷却液を冷却液タンク内に排出するための排水口と、冷却液タンクから液晶パネルに冷却液を供給するための給水口とのうち、少なくとも給水口が冷却液タンク内に向けて突き出しているので、給水口が冷却液タンクの上面側に位置する姿勢でも、冷却液タンク内の空気が給水口から流出することを抑制できる。したがって、液晶プロジェクターを姿勢を傾けて設置した場合にも、循環式の液冷システムにより、冷却液タンクからの空気の流出を抑制して液晶パネルを効率的に冷却することができる。
【００６４】
（２）少なくとも給水口を、冷却液タンク内の略中心部に向けて突き出させることにより、冷却液タンクがどのような姿勢に傾いても、冷却液タンクからの空気の流出を最小限に抑制することができる。
【００６５】
（３）給水口及び排水口の両方を冷却液タンク内に向けて突き出させることにより、排水口が冷却液タンクの上面側に位置する姿勢でも、冷却液タンク内の空気が排水口から流出することを抑制できる。
【００６６】
（４）給水口及び排水口の両方を冷却液タンク内に向けて突き出させる場合に、給水口と排水口とを冷却液タンク内で互いに対向する向きに突き出させることにより、給水口及び排水口の両方を、冷却液タンク内の略中心部に向けて十分な長さだけ突き出させることができ、且つ、冷却液タンク内での冷却液の流路抵抗の増加を抑制することができる。
【００６７】
（５）排水口から冷却液タンク内に排出された冷却液が衝突する位置に板状部材を設け、この板状部材の周囲に、この板状部材に衝突した冷却液を給水口側に流すための開口部分を設けることにより、冷却液タンク内での冷却液の流速を低下させて、より多くの気泡を除去することができる。したがって、液冷システムによって液晶パネルをより効率的に冷却することができる。
【００６８】
（６）冷却液タンク内で排水口と給水口とを網目状の部材によって仕切ることにより、冷却液中の気泡がこの網目状部材でせき止められるので、小さな気泡も除去することができる。したがって、液冷システムによって液晶パネルをより効率的に冷却することができる。
【００６９】
なお、図５の例では、十字形状の仕切り板４を設けている。しかし、十字形状以外の適宜の形状（例えば円形または多角形）の板状部材を、排水口３から冷却液タンク１内に排出された冷却液が衝突する位置に設けるとともに、その板状部材の周囲に、その板状部材に衝突した冷却液を給水口２側に流すための開口部分を設けるようにしてもよい。
【００７０】
また、図７の例では、１枚のメッシュ５のみを設けている。しかし、互いに網目の大きさの異なる複数枚のメッシュを、重ねて設けるようにしてもよい。それにより、様々な大きさの気泡を、それらのメッシュでより多くせき止めることができる。
【００７１】
あるいはまた、網目の大きさが同じメッシュを、網目の位置を互いにずらしたり、網目の配列方向を互いに傾けたりして、複数枚重ねて設けるようにしてもよい。それにより、実質的な網目の大きさが、１枚１枚のメッシュの網目の大きさよりも小さくなるので、より一層小さな気泡をせき止めることができる。
【００７２】
また、以上の例では、給水口２と排水口３とを、冷却液タンク１の互いに対向する壁面に設けている。しかし、これに限らず、給水口２と排水口３とを、冷却液タンク１の互いに隣り合う壁面に設けたり、冷却液タンク１の同一の壁面に設けてもよい。
【００７３】
また、以上の例では、給水口２と排水口３との両方を、冷却液タンク１内の中心部に向けて突き出させている。しかし、別の例として、給水口２だけを、冷却液タンク１内の中心部に向けて突き出させる（あるいは、冷却液タンク１内に適宜の向きに突き出させる）ようにしてもよい。
【００７４】
冷却液タンク１内の空気は、給水口２からは冷却液ＣＬの流れに沿って流出しやすいのに対し、排水口３からは、冷却液ＣＬの流れに逆らうことになるので流出しにくい。そこで、このように給水口２だけを冷却液タンク１内に向けて突き出させても、冷却液タンク１からの空気の流出をかなり抑制することができる。
【００７５】
また、以上の例では、透過型の液晶パネルを用いた液晶プロジェクターにおいて、液晶パネルの光源側の面とその反対側の面とのうちの少なくとも一方を冷却するために本発明を適用している。しかし、これに限らず、反射の液晶パネルを用いた液晶プロジェクターにおいて、液晶パネルの光源側の面を冷却するために本発明を適用してもよい。また、液晶プロジェクターやその他の投射型表示装置において、照明光学系を冷却するために本発明を適用してもよい。さらには、投射型表示装置以外の装置（例えば、モバイル型のパーソナルコンピュータや、本体を縦向き・横向きのいずれにも設置可能なデスクトップ型のパーソナルコンピュータ等）において、装置内の部品を冷却するために本発明を適用してもよい。
【図面の簡単な説明】
【００７６】
【図１】本発明を適用した液晶プロジェクターの光学系を示す図である。
【図２】図１の液晶プロジェクターに搭載された循環式の液冷システムの構成を示す図である。
【図３】図２の冷却液タンクの構造の一例を示す図である。
【図４】図３の冷却液タンクの姿勢が傾いた状態を例示する図である。
【図５】図２の冷却液タンクの構造の別の例を示す図である。
【図６】図５の構造の冷却液タンクによる気泡抜きの原理を示す図である。
【図７】図２の冷却液タンクの構造の別の例を示す図である。
【図８】図７の構造の冷却液タンクによる気泡抜きの原理を示す図である。
【図９】従来の冷却液タンクの一般的な構造を示す図である。
【図１０】図９の冷却液タンクの姿勢が傾いた状態を例示する図である。
【符号の説明】
【００７７】
１  冷却液タンク、  ２  給水口、  ２ａ，２ｂ  給水口の開口端、  ３  排水口、  ３ａ，３ｂ  排水口の開口端、  ４  仕切り板、  ５  メッシュ、  １１，１２，１３  ジャケット、  １４  ポンプ、  １５  ラジエータ、    ３４（Ｒ），３４（Ｇ），３４（Ｂ）  液晶パネル、  ３５  クロスプリズム、  ４１〜４６  配管
【図１】
2006227306.tif 000003
【図２】
2006227306.tif 000004
【図３】
2006227306.tif 000005
【図４】
2006227306.tif 000006
【図５】
2006227306.tif 000007
【図６】
2006227306.tif 000008
【図７】
2006227306.tif 000009
【図８】
2006227306.tif 000010
【図９】
2006227306.tif 000011
【図１０】
2006227306.tif 000012